(57)【要約】【課題】生体を検出する精度を向上させること。【解決手段】検出装置において、所定の波長の赤外線を照射する発光部と、赤外線を受光する受光部と、前記受光部により受光された赤外線が、ヘモグロビンにより散乱された赤外線である場合に、生体が存在することを検出する検出部と、を備える。【選択図】図２
2018048976.tif 000002
【特許請求の範囲】
【請求項１】
所定の波長の赤外線を照射する発光部と、
赤外線を受光する受光部と、
前記受光部により受光された赤外線が、ヘモグロビンにより散乱された赤外線である場合に、生体が存在することを検出する検出部と、
を備えることを特徴とする検出装置。
【請求項２】
前記検出部は、前記発光部により照射された赤外線の強度と、前記受光部により受光された赤外線の強度と、前記所定の波長の赤外線に対するヘモグロビンによる吸収率とに基づいて、前記受光部により受光された赤外線が、ヘモグロビンにより散乱された赤外線であるか否かを判定する
ことを特徴とする請求項１記載の検出装置。
【請求項３】
前記発光部は、第１の波長の赤外線と、前記第１の波長とは異なる第２の波長の赤外線とを照射し、
前記検出部は、前記第１の波長の赤外線に対するヘモグロビンによる吸収率と、前記第２の波長の赤外線に対するヘモグロビンによる吸収率との差に基づいて、前記生体の存在を検出する
ことを特徴とする請求項１または２に記載の検出装置。
【請求項４】
前記検出部は、前記第１の波長の赤外線に対するヘモグロビン、及び水による吸収率と、前記第２の波長の赤外線に対するヘモグロビン、及び水による吸収率に基づいて、前記生体の存在を検出する
ことを特徴とする請求項３に記載の検出装置。
【請求項５】
前記検出部による検出結果に基づいて、異常を報知する報知部を備える
ことを特徴とする請求項１乃至４のいずれか一項に記載の検出装置。
【請求項６】
前記報知部は、前記生体が存在し、かつ前記生体及び水面の動きがない状態が所定時間以上継続した場合、ユーザに所定の操作を要求し、当該所定の操作を受け付けない場合、異常を報知する
ことを特徴とする請求項５に記載の検出装置。
【請求項７】
前記検出部は、ユーザが浴槽内に存在するか否かを検出し、
前記報知部は、前記検出部により、ユーザが浴槽内に存在し、かつ前記生体が存在しないと判定された場合、異常を報知する
ことを特徴とする請求項５または６に記載の検出装置。
【請求項８】
前記検出部は、給湯器による浴槽の湯張りが完了した際に、前記受光部により受光された赤外線の強度を初期値とし、前記初期値と、前記受光部により受光された赤外線の強度との差に基づいて、浴槽内における生体の存在を検出する
ことを特徴とする請求項１乃至７のいずれか一項に記載の検出装置。
【請求項９】
検出装置が、
所定の波長の赤外線を照射し、
赤外線を受光し、
前記受光された赤外線が、ヘモグロビンにより散乱された赤外線である場合に、生体が存在することを検出する処理を実行する検出方法。
【発明の詳細な説明】
【技術分野】
【０００１】
本発明は、検出装置、及び検出方法に関する。
【背景技術】
【０００２】
従来、センサを利用して人や動物等の生体の動きを検出する技術が知られている。このセンサでは、例えば、生体が放射する赤外線を受信し、生体と背景の温度差による赤外線量の差を用いて、生体を検出する。
【先行技術文献】
【特許文献】
【０００３】
【特許文献１】特開２０１４−１０２０８３号公報
【発明の概要】
【発明が解決しようとする課題】
【０００４】
しかしながら、従来技術では、温度差を用いて検出しているため、例えば夏季や、背景に温かいものが存在する場合等において、検出の精度が低くなるという問題がある。
【０００５】
そこで、生体を検出する精度を向上させることを目的とする。
【課題を解決するための手段】
【０００６】
検出装置において、所定の波長の赤外線を照射する発光部と、赤外線を受光する受光部と、前記受光部により受光された赤外線が、ヘモグロビンにより散乱された赤外線である場合に、生体が存在することを検出する検出部と、を備える。
【発明の効果】
【０００７】
生体を検出する精度を向上させることが可能となる。
【図面の簡単な説明】
【０００８】
【図１】実施形態における検出システムの構成例を示す図である。
【図２】実施の形態における検出装置の構成例を示す図である。
【図３】キャリブレーション処理の一例を示すフローチャートである。
【図４】検出処理の一例を示すフローチャートである。
【図５】発光部により放射された所定の波長の赤外線が、受光部により検出される原理について説明する図である。
【図６】赤外線の波長に応じた、ヘモグロビンと水の吸収、散乱の度合いについて説明する図である。
【図７】異常判定処理の一例を示すフローチャートである。
【発明を実施するための形態】
【０００９】
以下、図面に基づいて本発明の実施形態を説明する。図１は、本発明の実施形態における検出システム１の構成例を示す図である。図１において、検出システム１は、検出装置１０、及び警報装置２０を含む。
【００１０】
検出装置１０と警報装置２０とは、信号線、ＬＡＮ（Local  Area  Network）、無線ＬＡＮ等の通信回線によって通信可能に接続される。
【００１１】
検出装置１０は、人や動物等の生体の動き、及び生体の在／不在等を検出する。そして、検出した動きや在／不在等に基づいて異常を検出し、異常を警報装置２０に通知する。
【００１２】
検出装置１０は、例えば、浴室、居間、台所等に設置される。検出装置１０の少なくとも一部は、例えば、給湯器を遠隔制御する浴室リモコン、浴室乾燥機、浴室乾燥機のリモコン、浴室警報機、給湯器を遠隔制御する台所リモコン、床暖房用リモコン等に内蔵されていてもよい。なお、検出装置１０は、浴室に限定されず、トイレ、居間、台所等、任意の場所に設置して用いることが可能である。
【００１３】
警報装置２０は、検出装置１０から異常を通知されると、音、光、表示等により所定の報知を行う。警報装置２０の設置場所は任意であり、浴室外に設置されてもよいし、浴室内に設置されてもよい。警報装置２０は、例えば周知の台所リモコンでもよい。この場合、警報装置２０は、例えば検出装置１０が内蔵された浴室リモコンからの呼び出し信号に基づいて報知を行う。警報装置２０は、室内インターホンでもよい。この場合、検出装置１０と、室内インターホンである警報装置２０とを信号線等により接続すればよい。
【００１４】
検出装置１０と警報装置２０は、一体の装置として構成してもよい。
【００１５】
＜構成＞
図２は、実施の形態における検出装置１０の構成例を示す図である。
【００１６】
検出装置１０は、照射された所定の波長の赤外線が、生体内のヘモグロビンにより吸収された度合いに基づいて、生体の動き、及び生体の在／不在等を検出する。検出装置１０は、図２に示すように、発光部１１、受光部１２、検出部１３、判定部１４、及び報知部１５を備えている。
【００１７】
発光部１１は、例えば赤外線ＬＥＤ（Light  Emitting  Diode）を用いて、所定の波長の赤外線を照射する。発光部１１は、例えば検出部１３からの指示に応じたタイミングで、赤外線を照射する。
【００１８】
受光部１２は、発光部１１より照射され、生体等により反射または散乱された赤外線を受光する。
【００１９】
検出部１３は、受光部１２により受光された赤外線が、ヘモグロビンにより散乱された赤外線である場合に、生体が存在することを検出する。
【００２０】
判定部１４は、検出部１３により検出された情報に基づいて、異常が発生したか否かを判定する。判定部１４は、検出部１３により検出された情報に基づいて、例えば、浴槽内のユーザが浴槽内に沈んだ等の異常を判定する。
【００２１】
報知部１５は、判定部１４により異常が発生したと判定された場合に、異常を報知する。報知部１５は、例えば、呼び出し音、警告音、警告の音声メッセージを出力することにより、異常を報知する。また、報知部１５は、警報装置２０に異常を通知し、警報装置２０にて呼び出し音等を出力させてもよい。また、報知部１５は、例えば、予め登録されている同居人のメールアドレス等に、異常を報知するメッセージを送信してもよい。
【００２２】
＜処理＞
≪キャリブレーション≫
次に、図３を参照し、検出部１３によるキャリブレーション処理について説明する。図３は、キャリブレーション処理の一例を示すフローチャートである。検出部１３は、後述する検出処理を行う前に、予めキャリブレーション処理を行っておく。
【００２３】
ステップＳ１０１において、検出部１３は、定常状態となったことを検知する。例えば、検出部１３は、給湯器による浴槽の湯張りが完了した際、または、浴室の照明、ミストサウナ、浴室暖房等の浴室内に設置される機器が起動された際に、定常状態となったと判定する。なお、給湯器による浴槽の湯張りが完了したことは、例えば、給湯器を遠隔制御する浴室リモコンから通信により取得してもよい。
【００２４】
続いて、検出部１３は、発光部１１に赤外線を照射させる（ステップＳ１０２）。
【００２５】
続いて、検出部１３は、受光部１２により受光された赤外線の強度を取得する（ステップＳ１０３）。
【００２６】
続いて、検出部１３は、受光部１２により受光させた赤外線の強度を、初期値として記憶する（ステップＳ１０４）。
【００２７】
これにより、検出部１３は、例えば、浴槽の湯気等による赤外線の反射等影響を、予め把握しておくことができる。
【００２８】
≪検出処理≫
次に、図４を参照し、検出部１３による生体を検出する処理について説明する。図４は、検出処理の一例を示すフローチャートである。なお、検出処理は、例えば定期的に実行してもよい。
【００２９】
ステップＳ２０１において、検出部１３は、発光部１１に赤外線を照射させる。
【００３０】
続いて、検出部１３は、受光部１２から、発光部１１により放射された所定の波長の赤外線を受光した強度を取得する（ステップＳ２０２）。
【００３１】
続いて、検出部１３は、キャリブレーション時に記憶した強度の初期値と、今回取得した強度の差に基づいて、生体が存在するか否かを判定する（ステップＳ２０３）。
【００３２】
図５は、発光部１１により放射された所定の波長の赤外線が、受光部１２により検出される原理について説明する図である。
【００３３】
図５に示すように、発光部１１により放射された所定の波長の赤外線は、生体５０１に当たると、生体組織で散乱、吸収されながら、一部が生体組織の外部に放射され、受光部１２により検出される。
【００３４】
この場合、拡張ベール則の下記式が成立する。
【００３５】
Ａ＝μＬ＋Ｂ＝−ｌｎ（Ｉｒ／Ｉ０）    ・・・（１）
ここで、Ａは吸光度、μ(mm-1)は吸収係数（「吸収率」の一例）、Ｌ(mm)は平均光路長、Ｉ０(W/m2)は入射光の強度、Ｉｒ(W/m2)は散乱透過光の強度である。また、Ｂは、散乱により検出器で検出されなかった光の損失である。
【００３６】
図６は、赤外線の波長に応じた、ヘモグロビンと水の吸収、散乱の度合いについて説明する図である。
【００３７】
図６に示すように、水とヘモグロビンは、赤外線を吸収する強さが赤外線の波長によって異なる。また、生体組織において赤外線を吸収する主な物質は、水とヘモグロビンである。そのため、発光部１１から２つの波長（例えば８５０nmと９７０nm）の赤外線を例えば交互に放射し、受光部１２により検出された当該２つの波長の赤外線の各々の吸光度を算出する。そして、例えば、平均光路長Ｌを予め設定された値として、当該２つの波長に対する水とヘモグロビンによる吸収係数の連立方程式を解くことにより、ヘモグロビンによって散乱されたか否かを推定する。そして、ヘモグロビンによって散乱されたと判定された場合は、生体が存在すると判定できる。
【００３８】
生体が存在しない場合（ステップＳ２０３でＮＯ）、処理を終了する。
【００３９】
生体が存在する場合（ステップＳ２０３でＹＥＳ）、検出部１３は、生体が存在すること判定部１４に通知する（ステップＳ２０４）。
【００４０】
続いて、検出部１３は、以前（例えば前回）の検出処理で取得した強度と、今回取得した強度の差に基づいて、生体または水面の動きを検出したか（体動を検出したか）否かを判定する（ステップＳ２０５）。例えば、検出部１３は、受光部１２により検出された赤外線の強度が、例えば前回において検出された強度から所定の閾値以上変化している場合に、生体または水面の動きが動いたと判定する。これは、当該強度の値が、体動による生体または水面の動きの影響を受けるためである。
【００４１】
動きを検出しない場合（ステップＳ２０５でＮＯ）、処理を終了する。
【００４２】
動きを検出した場合（ステップＳ２０５でＹＥＳ）、検出部１３は、体動を検出したことを判定部１４に通知し（ステップＳ２０６）、処理を終了する。
【００４３】
≪異常判定処理≫
次に、図７を参照し、判定部１４による異常判定処理について説明する。図７は、異常判定処理の一例を示すフローチャートである。なお、異常判定処理は、例えば、定期的に実行してもよい。
【００４４】
判定部１４は、人が浴槽内で入浴中であるか否かを判定する（ステップＳ３０１）。例えば、浴槽内に設けられた、水量を測るセンサにて、所定時間以内に、水位が所定の閾値以上増加した場合に、人が入浴中であると判定する。なお、人が入浴中であるか否かは、他の公知技術を用いて検知してもよい。
【００４５】
人が入浴中でなければ（ステップＳ３０１でＮＯ）、処理を終了する。
【００４６】
人が入浴中であれば（ステップＳ３０１でＹＥＳ）、判定部１４は、検出部１３により生体が検出されているか否かを判定する（ステップＳ３０２）。
【００４７】
生体が検出されていない場合（ステップＳ３０２でＮＯ）、判定部１４は、報知部１５を用いて、異常を報知させ（ステップＳ３０３）、処理を終了する。入浴中であるにもかかわらず、検出部１３により生体が検出されていない場合は、生体が浴槽の水面下に沈んでいる場合であると考えられるためである。この場合、例えば、報知部１５は、警報装置２０に、例えば「お風呂で人が溺れていないか確認して下さい。」等の音声を報知させる。
【００４８】
生体が検出されている場合（ステップＳ３０２でＹＥＳ）、判定部１４は、検出部１３により所定時間を経過するまでの間に体動が検出されたか否かを判定する（ステップＳ３０４）。
【００４９】
所定時間を経過するまでの間に体動が検出された場合（ステップＳ３０４でＹＥＳ）、処理を終了する。
【００５０】
所定時間を経過するまでの間に体動が検出されない場合（ステップＳ３０４でＮＯ）、判定部１４は、報知部１５を用いて、ユーザに所定の操作を要求する（ステップＳ３０５）。例えば、報知部１５により、「確認のために無事ボタンを押下してください」等のメッセージを、音声または画面に出力させる。これにより、検出部１３により生体及び浴槽の水面の動きが検出されない状態が所定時間以上継続した場合に、入浴中のユーザに、無事であるかを問い合わせることができる。
【００５１】
続いて、判定部１４は、所定の操作を受け付けたか否かを判定する（ステップＳ３０６）。
【００５２】
所定の操作を受け付けた場合（ステップＳ３０６でＹＥＳ）、処理を終了する。
【００５３】
所定の操作を受け付けない場合（ステップＳ３０６でＮＯ）、判定部１４は、検出部１３により体動が検出されたか否かを判定する（ステップＳ３０７）。
【００５４】
体動が検出された場合（ステップＳ３０７でＹＥＳ）、処理を終了する。これにより、ステップＳ３０５で所定の操作を要求された場合、ユーザは、例えば、発光部１１の前で手を振る等の動作により、無事であることを判定部１４に通知することができる。
【００５５】
体動が検出されない場合（ステップＳ３０７でＮＯ）、ステップＳ３０３の処理に進む。
【００５６】
＜変形例＞
ステップＳ３０１の人が浴槽内で入浴中であるか否かを判定する処理は、水量を測るセンサを用いる代わりに、発光部１１及び受光部１２を用いて判定してもよい。
【００５７】
人が浴槽に入る、または浴槽から出るために浴槽を跨ぐ際は、受光部１２により受光される赤外線の強度の変動が比較的大きくなる。そのため、判定部１４は、所定期間（例えば３秒間）内における受光部１２により受光される赤外線の強度の変動が所定の閾値以上であり、かつその後に検出部１３により生体が検出された場合に、人が浴槽内で入浴中であると判定し、「入浴中」であることを記憶してもよい。この場合、判定部１４は、所定期間（例えば３秒間）内における受光部１２により受光される赤外線の強度の変動が所定の閾値以上であり、かつその後に検出部１３により生体が検出されない場合に、浴槽内で入浴中でないと判定し「入浴中」でないことを記憶してもよい。
【００５８】
また、判定部１４は、例えば機械学習により、浴槽の跨ぎと判定する条件を自動で設定するようにしてもよい。この場合、例えば、検出部１３により生体が検出される時点、及び検出部１３により生体が検出されなくなる時点の間の、受光部１２により受光される赤外線の強度の変動パターンを、浴槽の跨ぎによるものであると学習してもよい。これにより、ユーザ毎の浴槽の跨ぎ動作の癖に応じた、より精度の高い浴槽内で入浴中であるか否かの判定ができる。
【００５９】
＜まとめ＞
上述した実施形態によれば、受光部により受光された赤外線が、ヘモグロビンにより散乱された赤外線である場合に、生体が存在することを検出する。それにより、生体を検出する精度を向上させることが可能となる。
【００６０】
＜検出プログラムについて＞
本実施形態に係る検出装置１０は、例えば、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）等の揮発性の記憶媒体、ＲＯＭ（Ｒｅａｄ  Ｏｎｌｙ  Ｍｅｍｏｒｙ）等の不揮発性の記憶媒体、マウスやキーボード、ポインティングデバイス等の入力装置、画像やデータを表示する表示部、並びに外部と通信するためのインターフェースを備えたコンピュータによって構成してもよい。
【００６１】
その場合、検出装置１０が有する検出部１３、及び判定部１４等の各機能は、これらの機能を記述したプログラム（検出プログラム）をＣＰＵに実行させることによりそれぞれ実現可能となる。また、このプログラムは、磁気ディスク（フロッピィーディスク、ハードディスク等）、光ディスク（ＣＤ−ＲＯＭ、ＤＶＤ等）、半導体メモリ等の記録媒体に格納して頒布することもできる。つまり、上述した各構成における処理をコンピュータ（ハードウェア）に実行させるためのプログラムを、例えば汎用のＰＣやサーバ等にそのプログラムをインストールすることにより、上述した処理を実現することができる。
【００６２】
また、上述した実施形態における検出装置１０の一部、または全部を、ＬＳＩ（Ｌａｒｇｅ  Ｓｃａｌｅ  Ｉｎｔｅｇｒａｔｉｏｎ）等の集積回路として実現してもよい。検出装置１０の各機能ブロックは個別にプロセッサ化してもよいし、一部、または全部を集積してプロセッサ化してもよい。
【００６３】
以上、本発明の実施例について詳述したが、本発明は斯かる特定の実施形態に限定されるものではなく、特許請求の範囲に記載された本発明の要旨の範囲内において、種々の変形・変更が可能である。
【００６４】
例えば、検出部１３、及び判定部１４は、１以上のコンピュータにより構成されるクラウドコンピューティングにより実現されていてもよい。
【符号の説明】
【００６５】
１  検出システム
１０  検出装置
１１  発光部
１２  受光部
１３  検出部
１４  判定部
１５  報知部
２０  警報装置
【図１】
2018048976.tif 000003
【図２】
2018048976.tif 000004
【図３】
2018048976.tif 000005
【図４】
2018048976.tif 000006
【図５】
2018048976.tif 000007
【図６】
2018048976.tif 000008
【図７】
2018048976.tif 000009
【手続補正書】
【提出日】平成29年2月9日(2017.2.9)
【手続補正１】
【補正対象書類名】特許請求の範囲
【補正対象項目名】全文
【補正方法】変更
【補正の内容】
【特許請求の範囲】
【請求項１】
浴室またはトイレ等に設置される検出装置であって、
第１の波長の赤外線と、前記第１の波長とは異なる第２の波長の赤外線とを照射する発光部と、
赤外線を受光する受光部と、
前記第１の波長の赤外線に対するヘモグロビン、及び水による吸収率と、前記第２の波長の赤外線に対するヘモグロビン、及び水による吸収率に基づいて、生体の存在を検出する検出部と、
を備えることを特徴とする検出装置。
【請求項２】
所定の波長の赤外線を照射する発光部と、
赤外線を受光する受光部と、
前記受光部により受光された赤外線が、ヘモグロビンにより散乱された赤外線である場合に、生体が存在することを検出する検出部と、
前記検出部による検出結果に基づいて、異常を報知する報知部と、
を備え、
前記報知部は、前記生体が存在し、かつ前記生体及び水面の動きがない状態が所定時間以上継続した場合、ユーザに所定の操作を要求し、当該所定の操作を受け付けない場合、異常を報知する
ことを特徴とする検出装置。
【請求項３】
所定の波長の赤外線を照射する発光部と、
赤外線を受光する受光部と、
前記受光部により受光された赤外線が、ヘモグロビンにより散乱された赤外線である場合に、生体が存在することを検出する検出部と、
前記検出部による検出結果に基づいて、異常を報知する報知部と、
を備え、
前記検出部は、ユーザが浴槽内に存在するか否かを検出し、
前記報知部は、前記検出部により、ユーザが浴槽内に存在し、かつ前記生体が存在しないと判定された場合、異常を報知する
ことを特徴とする検出装置。
【請求項４】
所定の波長の赤外線を照射する発光部と、
赤外線を受光する受光部と、
前記受光部により受光された赤外線が、ヘモグロビンにより散乱された赤外線である場合に、生体が存在することを検出する検出部と、
を備え、
前記検出部は、給湯器による浴槽の湯張りが完了した際に、前記受光部により受光された赤外線の強度を初期値とし、前記初期値と、前記受光部により受光された赤外線の強度との差に基づいて、浴槽内における生体の存在を検出する
ことを特徴とする検出装置。
【請求項５】
前記検出部は、前記発光部により照射された赤外線の強度と、前記受光部により受光された赤外線の強度と、前記所定の波長の赤外線に対するヘモグロビンによる吸収率とに基づいて、前記受光部により受光された赤外線が、ヘモグロビンにより散乱された赤外線であるか否かを判定する
ことを特徴とする請求項２乃至４のいずれか一項に記載の検出装置。
【請求項６】
前記発光部は、第１の波長の赤外線と、前記第１の波長とは異なる第２の波長の赤外線とを照射し、
前記検出部は、前記第１の波長の赤外線に対するヘモグロビンによる吸収率と、前記第２の波長の赤外線に対するヘモグロビンによる吸収率との差に基づいて、前記生体の存在を検出する
ことを特徴とする請求項２乃至５のいずれか一項に記載の検出装置。
【請求項７】
前記検出部は、前記第１の波長の赤外線に対するヘモグロビン、及び水による吸収率と、前記第２の波長の赤外線に対するヘモグロビン、及び水による吸収率に基づいて、前記生体の存在を検出する
ことを特徴とする請求項６に記載の検出装置。
【請求項８】
浴室またはトイレ等に設置される検出装置が、
第１の波長の赤外線と、前記第１の波長とは異なる第２の波長の赤外線とを照射し、
赤外線を受光し、
前記第１の波長の赤外線に対するヘモグロビン、及び水による吸収率と、前記第２の波長の赤外線に対するヘモグロビン、及び水による吸収率に基づいて、生体の存在を検出する
処理を実行する検出方法。
【請求項９】
検出装置が、
所定の波長の赤外線を照射し、
赤外線を受光し、
前記受光された赤外線が、ヘモグロビンにより散乱された赤外線である場合に、生体が存在することを検出し、
前記検出の結果に基づいて異常を報知する処理であって、前記生体が存在し、かつ前記生体及び水面の動きがない状態が所定時間以上継続した場合、ユーザに所定の操作を要求し、当該所定の操作を受け付けない場合、異常を報知する
処理を実行する検出方法。
【請求項１０】
検出装置が、
所定の波長の赤外線を照射し、
赤外線を受光し、
前記受光された赤外線が、ヘモグロビンにより散乱された赤外線である場合に、生体が存在することを検出し、
ユーザが浴槽内に存在するか否かを検出し、
ユーザが浴槽内に存在し、かつ前記生体が存在しないと判定された場合、異常を報知する
処理を実行する検出方法。
【請求項１１】
検出装置が、
所定の波長の赤外線を照射し、
赤外線を受光し、
前記受光された赤外線が、ヘモグロビンにより散乱された赤外線である場合に、生体が存在することを検出する処理であって、給湯器による浴槽の湯張りが完了した際に、前記受光された赤外線の強度を初期値とし、前記初期値と、前記受光された赤外線の強度との差に基づいて、浴槽内における生体の存在を検出する
処理を実行する検出方法。
【手続補正２】
【補正対象書類名】明細書
【補正対象項目名】０００６
【補正方法】変更
【補正の内容】
【０００６】
浴室またはトイレ等に設置される検出装置において、第１の波長の赤外線と、前記第１の波長とは異なる第２の波長の赤外線とを照射する発光部と、赤外線を受光する受光部と、前記第１の波長の赤外線に対するヘモグロビン、及び水による吸収率と、前記第２の波長の赤外線に対するヘモグロビン、及び水による吸収率に基づいて、生体の存在を検出する検出部と、を備える。